(57)【特許請求の範囲】
【請求項１】
温水を熱源として室内を暖房する室内暖房機及び床暖房パネルと、加熱手段を備えた加熱用熱交換器によって加熱された温水を前記室内暖房機に供給する１次供給路と、前記室内暖房機からの復水を前記加熱用熱交換器へ還流する１次還流路と、該１次還流路に流れる復水を前記床暖房パネルに供給する２次供給路と、前記床暖房パネルからの復水を前記１次還流路へ還流する２次還流路と、前記１次供給路に流れる温水の温度を検出する第１温度検出手段と、前記２次供給路に流れる温水の温度を検出する第２温度検出手段と、前記第１温度検出手段の検出温度又は第２温度検出手段の検出温度を目標温度に一致させるように加熱手段を制御する加熱制御手段と、前記２次供給路に流れる温水の供給量を制御する供給量制御手段とを備え、
床暖房パネルのみを用いる床暖房単独運転の通常運転時に、前記加熱制御手段により前記第２温度検出手段の検出温度を所定の目標温度に保持すると共に前記供給量制御手段により前記床暖房パネルに供給される温水の供給量を制御する温水暖房装置であって、
床暖房単独運転の開始時に、前記第１温度検出手段の検出温度が床暖房単独運転の通常運転時の該第１温度検出手段の検出温度よりも高温の第１目標温度になるように前記加熱制御手段により前記加熱手段を制御する急速加熱運転を、室内に設けられた室温センサにより検出された室温が使用者の設定した目標室温よりも所定温度低い切換室温に達するまで行い、
該急速加熱運転終了時に前記第２温度検出手段により検出された温度を基準温度とし、前記急速加熱運転終了後に、前記第２温度検出手段の検出温度が前記基準温度よりも所定温度低い第２目標温度になるように、前記加熱制御手段により前記加熱手段を制御する緩衝運転を行うことを特徴とする温水暖房装置。
【請求項２】
前記緩衝運転の開始後に、室温が使用者の設定した目標室温に達したときは、前記通常運転を行うことを特徴とする請求項１記載の温水暖房装置。
【発明の詳細な説明】
【０００１】
【発明の属する技術の分野】
本発明は、一つの加熱手段によって加熱された温水を、室内暖房機と床暖房パネルとにそれぞれ異なる温度で循環させる温水暖房装置に関する。
【０００２】
【従来の技術】
温水暖房装置は、一般にバーナ等の加熱手段と、この加熱手段により加熱され、通過する温水の温度を昇温させる加熱用熱交換器とを有する室外機（熱源機）を備えており、該室外機から供給される温水により室内の暖房を行っている。
【０００３】
一方、室内機としては、室内暖房機や床暖房パネルが用いられている。室内暖房機としては、対流ファン及び暖房用熱交換器を備え、対流ファンの作動により温風を吹き出して室内の空気を加熱する温風暖房機が知られている。また、床暖房パネルは、温水通路に温水が流れることにより床面を介して室内を暖房するものである。なお、温水を利用した室内暖房機としては、温風暖房機のみならずパネルヒータ等が知られている。
【０００４】
また、近年は一つの室外機に床暖房パネルと室内暖房機とを共に接続した温水暖房装置が知られている。このような温水暖房装置では、床暖房パネルに供給される温水の温度（例えば６０℃）が、温風暖房機やパネルヒータ等の室内暖房機へ供給される温水の温度（例えば８０℃）よりも低いため、室内暖房機から加熱用熱交換器へ還流される復水の一部を床暖房パネルに供給するようにしたものが知られている。
【０００５】
このような温水暖房装置では、室内暖房機と床暖房パネルとを同時に運転する場合の他、室内暖房機や床暖房パネルを単独で運転する場合がある。ここで、床暖房パネルを単独運転するときに、運転開始から床暖房により室内温度が目標の温度に上昇するまでの間、床暖房パネルに供給される温水の温度を一時的に高くして速やかに室内温度を上昇させるようにしたものがある。この場合、床暖房パネルに供給される温水の温度を一時的に高くするために、床暖房パネルに供給される温水の温度が通常運転時の目標温度（例えば６０℃）よりも高くなるように加熱量を制御することが考えられる。
【０００６】
しかしながら、床暖房パネルに供給される温水は加熱用熱交換器から直接供給されるものではないため、床暖房パネルに供給される温水の温度を基準としたのでは加熱用熱交換器の出口温度を直接制御することができない。このため、床暖房パネルに供給される温水の目標温度を高く設定してこれを基準に加熱手段を制御すると、加熱用熱交換器が過剰に加熱されるおそれがあり、加熱用熱交換器内の温水が沸騰して加熱効率が悪化したり、加熱用熱交換器の耐久性を悪化させるおそれがあるという不都合がある。
【０００７】
そこで、図４（ａ）に示すように、運転開始時には加熱用熱交換器の出口温度が、床暖房単独運転の通常運転時に検出される温度Ｔ0よりも高温の第１目標温度Ｔ1（例えば８０℃）になるように加熱量を制御して急速暖房する急速加熱運転を行い、図４（ｂ）に示すように、その後に床暖房パネルに供給される温水の温度が通常運転時の目標温度Ｔ2（例えば６０℃）になるように制御を切り換えて運転を行うようにすることが考えられる。ここで、図４において一点鎖線で示すＣ線は、室温が低い場合の加熱用熱交換器の出口温度、床暖房パネルに供給される温水の温度及び室温の変化と時間との関係を示すものであり、二点鎖線で示すＤ線は室温が高い場合の上記関係を示すものである。
【０００８】
このような急速加熱運転を行うことにより、運転開始から急速に床暖房パネルが暖められ、図４（ｃ）に示すように室温も速やかに上昇する。ところで、このように、床暖房単独運転の際に加熱用熱交換器の出口温度により急速加熱運転を制御しているときは、床暖房パネルに供給される温水の温度を直接制御するものではないため、急速加熱運転終了時に床暖房パネルに供給される温水の温度は、室温や外気温により影響されて一定ではない。
【０００９】
例えば、図４（ｂ）におけるＣ線のように、室温が低い場合は床暖房パネルに供給されている温水の温度がＣ1のように通常運転時に供給される温水の温度よりも大幅に高くなっている場合がある（例えば７５℃）。このような状態で、急速加熱運転から通常運転に切り換わるときには、床暖房パネルには図４（ｂ）におけるＣ2のように急速加熱運転時の温水よりもかなり低温の温水（例えば６０℃）が供給されるため、急速加熱運転時と通常運転時の床の温度差が大きくなり、使用者がこの温度差によって違和感を覚えることがあるという不都合がある。
【００１０】
ところで、床暖房パネルによる暖房の場合は、床暖房パネル内に循環される温水によって床が暖められ、この床面を介して空気が暖められて室内温度が上昇する。ここで、床面から室内空気への伝熱は比較的早いが、床暖房パネルから床への伝熱には時間がかかるため、床暖房を室内温度により制御して床暖房単独運転を行っているときは、床暖房パネルが十分に暖まっていても室温センサが室温の上昇を検知するまでには時間差が生じる。また、急速加熱運転時には通常運転時に床暖房パネルに供給される温水の温度よりも高温の温水が供給されているため、急速加熱運転時には床面の温度及び室温は急速に上昇する。このため、急速加熱運転から通常運転に切り換わって、床暖房パネルに急速加熱運転時よりも低温の温水が供給されても、床面の温度はすぐには低下しないので、余熱により室温はしばらくの間上昇することになる。従って、急速加熱運転から通常運転に切り換える際の室温を、使用者が設定した目標室温にしたのでは、通常運転に切り換えても前記温度検知の時間差と前記余熱により室温が目標室温を越えてしまうので、図４（ｃ）に示すように、通常はこの運転切換時の室温の上昇を勘案して、急速加熱運転から通常運転に切り換える際の切換室温Ｔ3を使用者が設定した目標室温Ｔ4よりも多少低い室温に設定している。これにより、急速加熱運転から通常運転に切り換わったときは、通常は床暖房パネルには急速加熱運転時の温水の温度よりも低い温度である通常運転時の温度の温水が供給されるため、例えば図４（ｃ）のＣ3からＣ4に示すように、それまで急速に上昇していた室温の上昇度合いが緩やかになり、前記切換室温から前記目標室温まで室温が緩やかに上昇し、急速加熱運転から通常運転への移行が滑らかに行われる。
【００１１】
しかしながら、例えば室温が比較的高い場合は、図４（ｃ）におけるＤ2のように、急速加熱運転を開始してから短時間の間に室温が前記切換室温に達するため、Ｄ1のように床暖房パネルに供給される温水の温度が通常運転時の温度である６０℃付近で急速加熱運転が終了する場合がある。このような状態で通常運転に移行しても、床暖房パネルには急速加熱運転時と同様の温度の温水が供給されるため、図４（ｃ）のＤ2からＤ3の間は室温の上昇度合いは急速運転時と変わらずに急速に室温が上昇する。そしてＤ3の時点で室温が目標室温に達しても床面の温度はすぐには低下しないため、前記切換温度Ｔ3が使用者が設定した目標室温Ｔ4よりも多少低い室温に設定されていても、急速な室温の上昇により図４（ｂ）のＤ4のように室温が目標室温を超えてしまい、使用者が暑さを感じることがあるという不都合がある。
【００１２】
【発明が解決しようとする課題】
本発明は、温水暖房装置の改良を目的とし、さらに詳しくは前記不都合を解消するために、室内暖房機と床暖房パネルとを備えた温水暖房装置において、床暖房パネルを単独で運転したときに、急速加熱運転終了後であっても使用者に急激な温度変化や暑さ等を感じさせない温水暖房装置を提供することを目的とする。
【００１３】
【課題を解決するための手段】
前記目的を達成するために、本発明は、温水を熱源として室内を暖房する室内暖房機及び床暖房パネルと、加熱手段を備えた加熱用熱交換器によって加熱された温水を前記室内暖房機に供給する１次供給路と、前記室内暖房機からの復水を前記加熱用熱交換器へ還流する１次還流路と、該１次還流路に流れる復水を前記床暖房パネルに供給する２次供給路と、前記床暖房パネルからの復水を前記１次還流路へ還流する２次還流路と、前記１次供給路に流れる温水の温度を検出する第１温度検出手段と、前記２次供給路に流れる温水の温度を検出する第２温度検出手段と、前記第１温度検出手段の検出温度又は第２温度検出手段の検出温度を目標温度に一致させるように加熱手段を制御する加熱制御手段と、前記２次供給路に流れる温水の供給量を制御する供給量制御手段とを備え、床暖房パネルのみを用いる床暖房単独運転の通常運転時に、前記加熱制御手段により前記第２温度検出手段の検出温度を所定の目標温度に保持すると共に前記供給量制御手段により前記床暖房パネルに供給される温水の供給量を制御する温水暖房装置を改良したものである。
【００１４】
そして、本発明は、床暖房単独運転の開始時に、前記第１温度検出手段の検出温度が床暖房単独運転の通常運転時の該第１温度検出手段の検出温度よりも高温の第１目標温度になるように前記加熱制御手段により前記加熱手段を制御する急速加熱運転を、室内に設けられた室温センサにより検出された室温が使用者の設定した目標室温よりも所定温度低い切換室温に達するまで行い、該急速加熱運転終了時に前記第２温度検出手段により検出された温度を基準温度とし、前記急速加熱運転終了後に、前記第２温度検出手段の検出温度が前記基準温度よりも所定温度低い第２目標温度になるように、前記加熱制御手段により前記加熱手段を制御する緩衝運転を行うことを特徴とする。
【００１５】
本発明の温水暖房装置では、床暖房単独運転を開始したときに、前記第１温度検出手段の検出温度、即ち前記加熱用熱交換器の出口温度が前記第１目標温度になるように前記加熱制御手段により前記加熱手段を制御する急速加熱運転を行う。この第１目標温度は、床暖房単独運転の通常運転時に前記第１温度検出手段により検出される温度より高くなるように設定されている。このように制御することにより、第２温度検出手段の検出温度、即ち床暖房パネルに供給される温水の温度を通常運転時よりも高くすることができる。従って、この急速加熱運転を行うことにより、床暖房単独運転の開始時に通常運転時に比べて室内の温度を速やかに上昇させることができる。また、この急速加熱運転時は、前記加熱用熱交換器によって加熱された温水の温度を前記第１温度検出手段により直接検出するものであるので、前記第１設定温度を加熱効率や前記加熱用熱交換器の耐久性等を考慮した温度とすることができる。
【００１６】
また、前記急速加熱運転を行った後、前記第２温度検出手段により検出される温度、即ち床暖房パネルに供給される温水の温度が、前記急速加熱運転終了時に検出された基準温度よりも所定温度低い第２目標温度になるように制御する緩衝運転を、前記切換室温に達するまで行う。この緩衝運転時には、急速加熱運転終了時に床暖房パネルに供給されていた温水の温度と所定の温度差の温水が床暖房パネルに供給される。従って、急速加熱運転の終了時に床暖房パネルに供給される温水の温度が通常運転時よりも大幅に高い場合でも、そのまま通常運転に移行したときのように急激に床面の温度が下がって使用者に寒さ等の違和感を生じさせることがない。また、急速加熱運転の終了時に床暖房パネルに供給される温水の温度が通常運転時の温水の温度とあまり温度差がない場合であっても、前記緩衝運転により急速加熱運転終了後にそのまま通常運転に移行したときに比べて室温の上昇度合いが緩やかになり、室温が上がりすぎることがない。
【００１７】
ここで、前記急速加熱運転から前記緩衝運転に移行する条件としては、所定時間を定めて急速加熱運転を行うこともできる。しかしながら、室温や外気温に関係なく所定時間だけ急速加熱運転を行ったのでは、急速加熱運転から通常運転に移行したときの室温は、運転開始時の室温や外気温により左右されて異なったものとなる。従って、このような制御を行ったのでは、急速加熱運転が足りずに室温が十分上がらなかったり、逆に室温が上がりすぎたりするおそれがある。そこで、本発明の温水暖房装置は、急速加熱運転の終了の条件を室温によって制御することにより、運転開始時の室温や外気温に左右されずに適度な急速加熱運転を行う。また、前記切換室温は、前記急速加熱運転の終了後に室温が使用者の設定する目標室温を超えないように、この使用者が設定する室温よりも所定温度低く設定されている。
【００１８】
また、前記緩衝運転の開始後に、室温が使用者の設定した目標室温に達したときは、前記通常運転を行うことが好ましい。前記緩衝運転が行われると、急速加熱運転時に前記床暖房パネルに供給される温水の温度よりも所定温度低い第２目標温度の温水が前記床暖房パネルに供給される。この第２目標温度は、急速加熱運転運転時に床暖房パネルに供給される温水の温度により異なるため、急速加熱運転時に前記床暖房パネルに供給される温水の温度が高ければ、緩衝運転時には通常運転時よりも高い温度の温水が床暖房パネルに供給される。逆に、急速加熱運転時に前記床暖房パネルに供給される温水の温度が低ければ、緩衝運転時には通常運転時よりも低い温度の温水が床暖房パネルに供給される。ここで、室温が使用者の設定した目標室温に達したときに、緩衝運転時の温度のままで前記供給量制御手段により温水の供給量を制御すると、供給量を制限しても室温が上がりすぎたり、あるいは下がりすぎたりすることがある。従って、本発明の温水暖房装置では、室温が使用者の設定した目標室温に達したときに、緩衝運転から通常運転に切り換えるようにしている。この通常運転は、前記加熱制御手段により前記第２温度検出手段の検出温度、即ち床暖房パネルに供給される温水の温度を所定の目標温度に保持するものである。例えば、床暖房パネルに供給される温水の温度を６０℃一定に保つように、加熱制御手段により加熱手段を制御する。そして、前記供給量制御手段により前記床暖房パネルに供給される温水の供給量を制御して室温が使用者が設定した目標室温になるように制御する。
【００１９】
【発明の実施の形態】
次に、本発明の実施形態の一例を図面に基づいて説明する。図１は本発明の実施形態の一例である温水暖房装置の構成を示す説明図、図２はその作動を示すフローチャート、図３は温水暖房装置の温水の温度及び室温と時間との関係を示すグラフである。
【００２０】
本実施形態の温水暖房装置は、図１に示すように、１台の室外機１に室内暖房機２と床暖房パネル３とが温水回路４により接続されている。この温水回路４は、室内暖房機２を加熱する室内暖房用温水回路５と床暖房パネル３を加熱する床暖房用温水回路６とにより構成されている。また、温水回路４は、加熱手段であるバーナ７により加熱されて循環する温水を昇温させる加熱用熱交換器８と、一定回転で駆動されて温水を循環させる循環ポンプ９と、温水の膨張と収縮を吸収するシスターン１０とを備えている。
【００２１】
室内暖房用温水回路５は、室内暖房機２に温水を供給する１次供給路１１と、室内暖房機２からの復水を還流する１次還流路１２とから構成されている。この１次供給路１１は、加熱用熱交換器８から第１温度検出手段である第１サーミスタ１３を介して図１において下側に直進し、室内暖房機２に設けられた暖房用熱交換器１５の流入側に接続されている。また、１次還流路１２は、暖房用熱交換器１５の流出側から流量制御弁１４を介してシスターン１０の流入側に接続され、このシスターン１０の流出側から循環ポンプ９を介して加熱用熱交換器８に接続されている。室内暖房機２に設けられている流量制御弁１４は、その開度を変化させることにより室内暖房機２に供給される温水の流量を制御するものである。
【００２２】
床暖房用温水回路６は、床暖房パネル３に温水を供給する２次供給路１６と、床暖房パネル３からの復水を還流する２次還流路１７とから構成されている。この２次供給路１６は、循環ポンプ９の吐出側から図１において下方向に分岐され、第２温度検出手段である第２サーミスタ１８と、床暖房パネル３に供給する温水の供給量を調節する開閉制御弁１９とを介して床暖房パネル３の流入側に導入されている。２次還流路１７は、床暖房パネル３の流出側から導出され、１次還流路１２及びバイパス供給路２０と合流している。バイパス供給路２０は、１次供給路１１から図１において左側に分岐され、室内暖房機２をバイパスして１次還流路１２に接続されている。このバイパス供給路２０は、加熱用熱交換器８により加熱された温水と床暖房パネル３からの復水とをシスターン１０でミキシングして、床暖房パネル３からの復水の温度を上昇させるものである。
【００２３】
２次供給路１６に設けられている開閉制御弁１９は、開閉時間を制御することにより床暖房パネル３に供給される温水の供給量を制御し、床暖房パネル３に供給される温水の平均温度を制御するものである。なお、開閉制御弁１９の代わりに、床暖房パネル３に供給される温水の流量を制御する流量制御弁を設けてもよい。
【００２４】
バーナ７にガスを供給するガス供給管２１には、ガスの供給及びその停止を行う電磁弁２２、２３と、ガスの流量を制御するガス比例弁２４が設けられている。また、バーナ７の近傍には燃焼ファン２５が設けられている。バーナ７の燃焼制御は、ガス比例弁２４によるガスの流量と、燃焼ファン２５による燃焼用空気の供給量により行われる。
【００２５】
運転制御装置２６は、使用者によって操作されるコントローラ２７に応じて各種の運転をマイコンによって制御するもので、主部２８は室外機１に設けられている。また、その端末部２９はコントローラ２７に設けられており、コントローラ２７に設けられた室温センサ３０による室温の検知を行う検知部と、コントローラ２７と室外機１の主部２８との間で制御信号を通信する通信部とが内蔵されている。また、主部２８にはガスを燃料とするバーナ７の燃焼制御や温水の流量の制御等の運転を行うマイコンが内蔵されている。
【００２６】
以上の構成からなる温水暖房装置は、運転制御装置２６によって、室内暖房機２のみによる単独暖房運転、床暖房パネル３のみによる床暖房単独運転、そして室内暖房機２及び床暖房パネル３による複合暖房運転の各運転パターンで運転することができる。なお、本実施形態においては、本発明に関連する床暖房単独運転についてのみ説明する。
【００２７】
次に、図１乃至図３を参照して、本実施形態の温水暖房装置の作動について説明する。まず、使用者がコントローラ２７により床暖房パネル３による暖房のみを選択して作動させると、床暖房単独運転が開始される（ＳＴＥＰ１）。
【００２８】
また、床暖房温水回路６では、循環ポンプ９から吐出された温水は、２次供給路１６により床暖房パネル３に供給され、２次還流路１７により還流される。具体的には、循環ポンプ９から吐出された温水は、図１において下側に分岐されて第２サーミスタ１８により床暖房パネル３に供給される温水の温度が検出される。そして、第２サーミスタ１８を通過した温水は、開閉制御弁１９を経由して床暖房パネル３の流入側に供給される。ここで、床暖房パネル３では、供給された温水により室内の床を直接暖めるとともに、暖められた床により間接的に室内を暖房する。
【００２９】
次に、床暖房パネル３を通過した復水は２次還流路１７を介して１次還流路１２に合流し、シスターン１０の流入側に還流され、シスターン１０の流出側から循環ポンプ９の流入側に還流される。また、加熱用熱交換器８からはバーナ７によって加熱された温水が第１サーミスタ１３を経由して図１において左側に分岐され、バイパス供給路２０を介して１次還流路１２と合流してシスターン１０に流入する。このように、２次供給路１６には、加熱用熱交換器８からバイパス供給路２０を介して供給される温水と床暖房パネル３からの復水とがミキシングされた温水が供給されており、この温水によって床暖房パネル３による暖房が行われる。なお、床暖房単独運転時には、室内暖房用温水回路５では流量制御弁１４が閉じられているため、室内暖房機２には温水が供給されていない。
【００３０】
このような床暖房単独運転が行われるときには、本実施形態においてはコントローラ２７に設けられた室温センサ３０により室温を検出し、室温が急速加熱運転温度（本実施形態では２０℃）以下であれば（ＳＴＥＰ２においてＹＥＳ）急速加熱運転を開始する（ＳＴＥＰ３）。この急速加熱運転においては、図３（ａ）に示すように、第１サーミスタ１３（ＴＨ1）の検出温度、即ち加熱用熱交換器８の出口温度が第１目標温度Ｔ1になるように、運転制御装置２６がバーナ７及び燃焼ファン２５を制御する（ＳＴＥＰ３）。本実施形態においては、この第１目標温度Ｔ1を通常運転時に室内暖房機２に供給される温水の温度である８０℃に設定している。この第１目標温度Ｔ1は、床暖房単独運転の通常運転時に第１温度検出手段によって検出される温度Ｔ0よりも高い温度に設定されている。また、本実施形態では、急速加熱運転から通常運転への切り換えを室温に基づいて行っており、図３（ｃ）に示すように、この運転の切り換えの温度、即ち切換室温Ｔ3を使用者が設定した設定室温Ｔ4よりも２℃低い温度に設定している。
【００３１】
上述のように急速加熱運転を行うと、床暖房パネル３には、図３（ｂ）に示すように急速に加熱された高温の温水が供給されるので床が速やかに暖められ、それに伴って図３（ｃ）に示すように室温も速やかに上昇する。ここで、図３において一点鎖線で示すＡ線は、室温が低い場合の加熱用熱交換器の出口温度、床暖房パネルに供給される温水の温度及び室温の変化と時間との関係を示すものであり、二点鎖線で示すＢ線は室温が高い場合の上記関係を示すものである。そして、運転制御装置２６により、コントローラ２７に設けられた室温センサ３０により検出される室温が切換室温Ｔ3になるまで急速加熱運転を継続する（ＳＴＥＰ４においてＮＯ）。また、図３（ｃ）のＡ1あるいはＢ1に示すように、室温が目標室温Ｔ4よりも２℃低い切換室温Ｔ3になったときは、急速加熱運転を終了する（ＳＴＥＰ４においてＹＥＳ）。このとき、第２サーミスタ１８（ＴＨ2）により床暖房パネル３に供給されている温水の温度、即ち基準温度を検出し、この値をＴ5とする（ＳＴＥＰ５）。ここで、運転制御装置２６において第２目標温度Ｔ6を決定する。本実施形態においては、この第２目標温度Ｔ6を基準温度Ｔ5よりも１０℃低い温度に設定している（ＳＴＥＰ６）。
【００３２】
室温が低い場合は、室温が切換室温Ｔ3になるまでに時間がかかるため、床暖房パネル３に供給される温水の温度は高くなり、例えば図３（ｂ）のＡ2に示すように、基準温度Ｔ5が７５℃であったときは、第２目標温度Ｔ6は６５℃に設定される。一方、室温が高い場合は、室温が切換室温Ｔ3になるまでの時間が短いため、床暖房パネル３に供給される温水の温度は低い状態であり、例えば、図３（ｂ）のＢ2に示すように基準温度Ｔ5が６０℃であったときは、第２目標温度Ｔ6は５０℃に設定される。
【００３３】
つぎに、運転制御装置２６は、第２サーミスタ１８（ＴＨ2）の検出温度、即ち床暖房パネル３に供給される温水の温度が第２目標温度Ｔ6になるようにバーナ７の燃焼及び燃焼ファン２５を制御する緩衝運転を行う（ＳＴＥＰ７）。このような緩衝運転を行うことにより、床暖房パネル３に供給される温水の温度は、室温や外気温の状態に影響されることなく、急速加熱運転が終了したときの温水の温度と所定の温度差となる。即ち、図３（ｂ）に示すように、室温が低い場合はＡ2からＡ3の間に床暖房パネル３に第２目標温度Ｔ6（６５℃）の温水が供給されるので、急速加熱運転から通常運転に切り替わった場合に比べて床面の温度差が小さくなり、使用者が違和感を感じることがない。また、室温が高い場合はＢ2からＢ3の間は床暖房パネル３に第２目標温度Ｔ6（５０℃）の温水が供給されるので、床面の温度が低下することにより室温が上がりすぎることがない。
【００３４】
この緩衝運転により、図３（ｃ）に示すように、室温が低い場合はＡ1の時点から室温が徐々に上昇して使用者が設定した目標室温Ｔ4に到達するまで、第２サーミスタ１８（ＴＨ2）の検出値が第２目標温度Ｔ6（６５℃）になるように制御が行われる（ＳＴＥＰ８においてＮＯ）。そして、図３（ｃ）におけるＡ4の時点、即ち室温が目標室温Ｔ4に達したときは（ＳＴＥＰ８においてＹＥＳ）、運転制御装置２６により緩衝運転から通常運転の制御に切り換えられる。即ち、図３（ｂ）のＡ3の時点から第２サーミスタ１８（ＴＨ2）の検出温度が緩衝運転時の第２目標温度Ｔ6（６５℃）から通常運転時の目標温度Ｔ2（６０℃）になるようにバーナ７の燃焼及び燃焼ファン２５を制御する（ＳＴＥＰ９）。
【００３５】
この通常運転により、室温が使用者が設定した目標室温Ｔ4になったときは（ＳＴＥＰ１０においてＹＥＳ）、開閉制御弁１９により床暖房パネル３に供給される温水の供給量を制御して温水の平均温度を制御する（ＳＴＥＰ１１）。これにより、以降は室温が使用者が設定した目標室温Ｔ4に保たれる。そして、使用者がコントローラ２７により運転を終了させるか、図示しないタイマにより運転終了信号が発信されるまで、通常運転が行われる（ＳＴＥＰ１２）。
【００３６】
また、緩衝運転時において室温が高い場合には、図３（ｂ）のＢ4に示すように、使用者が設定した目標室温Ｔ4に到達するまで第２サーミスタ１８（ＴＨ2）の検出値が第２目標温度Ｔ6（５０℃）になるように制御が行われる（ＳＴＥＰ８においてＮＯ）。これにより図３（ｃ）におけるＢ1の時点から室温の上昇度合いが緩やかになり、Ｂ4の時点、即ち室温が目標室温Ｔ4に達したときは（ＳＴＥＰ８においてＹＥＳ）、運転制御装置２６により上記と同様に緩衝運転から通常運転の制御に切り換えられる。
【００３７】
尚、床暖房単独運転を開始したときに室温が２０℃を越えている場合は（ＳＴＥＰ２においてＮＯ）、ステップ９乃至１２により通常運転が行われる。
【００３８】
本実施形態においては、急速加熱運転時において第１目標温度を８０℃としているが、これに限らず、室温や外気温により値を設定するようにしても良い。また、本実施形態においては、第１目標温度を室内暖房機２に供給される温水の温度と同じ温度に設定しているが、これに限らず室内暖房機２に供給される温水の温度より高い温度としても良い。このような温度にしたときは、室内の温度をより速やかに上昇させることができる。
【００３９】
また、急速加熱運転から通常運転に切り換える室内温度として、使用者が設定した温度よりも２℃低い温度としているが、これに限らず、急速加熱運転直後に床暖房パネル３に供給される温水の熱量を考慮して他の温度としても良い。同じく、第２目標温度を基準温度よりも１０℃低い温度としているが、これに限らず、使用者が違和感を感じない範囲で適宜変更が可能である。
【００４０】
また、室外機１を暖房機専用のものとしているが、これに限らず、室内給湯装置や浴槽用給湯装置と併設してもよい。また、室内暖房機２は、暖房のみの温風暖房機であるが、これに限らず、冷房装置用の室外機を別個に設けて冷房も行える温水暖房エアコン装置としてもよい。
【図面の簡単な説明】
【図１】本発明の実施形態の一例である温水暖房装置の構成を示す説明図。
【図２】本実施形態の温水暖房装置の作動を示すフローチャート。
【図３】本実施形態の温水暖房装置の温水の温度及び室温と時間との関係を示すグラフ。
【図４】従来の温水暖房装置の温水の温度及び室温と時間との関係を示すグラフ。
【符号の説明】
２…室内暖房機、３…床暖房パネル、７…バーナ（加熱手段）、８…加熱用熱交換器、１１…１次供給路、１２…１次還流路、１３…第１サーミスタ（第１温度検出手段）、１６…２次供給路、１７…２次還流路、１８…第２サーミスタ（第２温度検出手段）、１９…開閉制御弁（供給量制御手段）、２０…バイパス供給路、２６…運転制御装置（加熱制御手段）。
【図１】
0003676062.tif 000002
【図２】
0003676062.tif 000003
【図３】
0003676062.tif 000004
【図４】
0003676062.tif 000005